(57)【特許請求の範囲】
【請求項１】
圧縮機と、四方切換弁と、室外熱交換器と、これらの間を接続する室外冷媒配管と、前記四方切換弁から室内側に延長される冷媒ガス管と、前記室外熱交換器から室内側に延長される冷媒液管とを備えた室外ユニットと、
室内熱交換器と室内側電子膨張弁とを備え、前記室外ユニットから延長される前記冷媒ガス管と前記冷媒液管との間に各々室内冷媒配管を介して並列に接続される複数台の室内ユニットと、
前記室外ユニットにおいて低圧側の冷媒圧力を検出する圧力センサと、
前記室内ユニットの前記室内熱交換器の温度を検出する温度センサと、
前記室内側電子膨張弁の開度を変化させたときの、前記低圧側の冷媒圧力と前記室内熱交換器の温度の変化に基づいて、前記室内側電子膨張弁の動作確認を行う制御部と、
を備え、
前記制御部では、前記圧力センサで検出される冷媒圧力に対応した冷媒の飽和温度を算出し、算出された前記飽和温度と前記室内熱交換器の温度との差分の変化に基づいて、前記室内側電子膨張弁の動作確認を行うことを特徴とするマルチ型空気調和機。
【請求項２】
室外ユニットと、複数台の室内ユニットと、を備えたマルチ型空気調和機の前記室内ユニットの室内側電子膨張弁の動作確認方法であって、
前記室内側電子膨張弁の開度を変化させるステップと、
前記室内ユニットの室内熱交換器の温度を検出するステップと、
前記室外ユニットの低圧側の冷媒圧力を検出するステップと、
前記冷媒圧力に対応した冷媒の飽和温度を算出し、該飽和温度と前記室内熱交換器の温度との差分を算出するステップと、
前記室内側電子膨張弁の開度を変化させたときの、前記差分の変化に基づいて、前記室内側電子膨張弁の動作確認を行うステップと、
を備えることを特徴とする室内ユニットの室内側電子膨張弁の動作確認方法。
【請求項３】
前記室内側電子膨張弁の動作確認は、前記マルチ型空気調和機を冷房運転状態として行うことを特徴とする請求項２に記載の室内ユニットの室内側電子膨張弁の動作確認方法。
【請求項４】
前記室内側電子膨張弁の開度を変化させるステップでは、前記室内側電子膨張弁の開度を開状態から全閉に変化させることを特徴とする請求項２または３に記載の室内ユニットの室内側電子膨張弁の動作確認方法。
【請求項５】
室外ユニットと、複数台の室内ユニットと、を備えたマルチ型空気調和機の前記室内ユニットの室内側電子膨張弁の動作確認を行うために、コンピュータ装置によって実行されるコンピュータプログラムであって、
前記室内側電子膨張弁の開度を変化させるステップと、
前記室内ユニットの室内熱交換器の温度を検出するステップと、
前記室外ユニットの低圧側の冷媒圧力を検出するステップと、
前記冷媒圧力に対応した冷媒の飽和温度を算出し、該飽和温度と前記室内熱交換器の温度との差分を算出するステップと、
前記室内側電子膨張弁の開度を変化させたときの、前記差分の変化に基づいて、前記室内側電子膨張弁の動作確認を行うステップと、
を有することを特徴とするコンピュータプログラム。
【請求項６】
室外ユニットと、複数台の室内ユニットと、を備えたマルチ型空気調和機の前記室内ユニットの室内側電子膨張弁の動作確認を行う故障診断装置であって、
前記室内側電子膨張弁の開度を変化させるステップと、
前記室内ユニットの室内熱交換器の温度を検出するステップと、
前記室外ユニットの低圧側の冷媒圧力を検出するステップと、
前記冷媒圧力に対応した冷媒の飽和温度を算出し、該飽和温度と前記室内熱交換器の温度との差分を算出するステップと、
前記室内側電子膨張弁の開度を変化させたときの、前記差分の変化に基づいて、前記室内側電子膨張弁の動作確認を行うステップと、
を実行することを特徴とする故障診断装置。
【発明の詳細な説明】
【技術分野】
【０００１】
本発明は、マルチ型空気調和機、室内ユニットの室内側電子膨張弁の動作確認方法、コンピュータプログラム、故障診断装置に関するものである。
【背景技術】
【０００２】
ビル用の空気調和機として、一台の室外ユニットに対し、複数台の室内ユニットがガス管、液管によって接続されたマルチ型空気調和機がある。
【０００３】
このようなマルチ型空気調和機においては、据付時に、各部の動作確認のための試運転が行われる。
ここで、室内ユニットに備えられた電子膨張弁の動作確認を行う場合、空調運転を行いながら電子膨張弁の開度を変化させ、このときの室内ユニットの冷媒や熱交換器の温度変化を温度センサで検出している（例えば、特許文献１参照。）。例えば、電子膨張弁の開度を増大または減少させる指令信号を制御部から出した場合、冷媒や熱交換器の温度はこれに追従して下降または上昇する。一方、電子膨張弁の開度を変化させる指令信号を制御部から出したにも関わらず、電子膨張弁の開度が、例えば異物の噛み込み等、何らかの原因で変化しない場合や、全閉、全開にならない等の場合には、熱交換器の温度が変化せず、開度変化の指令に対応しないものとなる。このように、電子膨張弁の開度変化の指令信号と熱交換器の温度変化をモニタリングすることで、電子膨張弁の動作を確認している。
【特許文献１】特開昭６３−６３５１号公報
【発明の開示】
【発明が解決しようとする課題】
【０００４】
しかしながら、実際に電子膨張弁を開閉した場合、その開閉動作中、冷媒の流れによって冷媒の圧力変動が生じる。また、複数台の室内ユニットを備えるマルチ型空気調和機においては、他の室内ユニットの運転の影響により、冷媒の圧力変動が生じる。
周知の通り、冷媒の圧力によって冷媒の蒸発温度（飽和温度）は異なるため、冷媒の圧力変動により、熱交換器の部分における冷媒温度は変動する。熱交換器以外の場所で冷媒温度を検出したとしても、冷媒温度は変動の影響を受ける。電子膨張弁の開度を小さくしていき、最終的に全閉させる場合、本来、全閉状態となったときに熱交換器温度が上昇するが、冷媒の圧力変動によって電子膨張弁が全閉でなくとも、熱交換器の温度上昇が発生する。
これにより、電子膨張弁の開度変化の指令信号と熱交換器の温度変化をモニタリングしても、電子膨張弁が確実に動作しているか否かを精度よく確認するのは困難であった。
【０００５】
本発明は、このような事情に鑑みてなされたものであって、室内ユニットの電子膨張弁の動作確認を確実に行うことのできるマルチ型空気調和機、室内ユニットの室内側電子膨張弁の動作確認方法等を提供することを目的とする。
【課題を解決するための手段】
【０００６】
上記課題を解決するために、本発明のマルチ型空気調和機は以下の手段を採用する。すなわち、本発明のマルチ型空気調和機は、室外ユニットと複数台の室内ユニットとを備える。室外ユニットは、圧縮機と、四方切換弁と、室外熱交換器と、これらの間を接続する室外冷媒配管と、四方切換弁から室内側に延長される冷媒ガス管と、室外熱交換器から室内側に延長される冷媒液管とを備える。室内ユニットは、室内熱交換器と室内側電子膨張弁とを備え、室外ユニットから延長される冷媒ガス管と冷媒液管との間に各々室内冷媒配管を介して並列に接続される。さらに、室外ユニットにおいて低圧側の冷媒圧力を検出する圧力センサと、室内ユニットの室内熱交換器の温度を検出する温度センサと、室内側電子膨張弁の開度を変化させたときの、低圧側の冷媒圧力と室内熱交換器の温度の変化に基づいて、室内側電子膨張弁の動作確認を行う制御部と、を備え、前記制御部では、前記圧力センサで検出される冷媒圧力に対応した冷媒の飽和温度を算出し、算出された前記飽和温度と前記室内熱交換器の温度との差分の変化に基づいて、前記室内側電子膨張弁の動作確認を行うことを特徴とする。
【０００７】
このようなマルチ型空気調和機によれば、室内側電子膨張弁の開度を変化させたときの、低圧側の冷媒圧力と室内熱交換器の温度の変化に基づいて、室内側電子膨張弁の動作確認を行うようにした。これにより、室内側電子膨張弁の動作確認を行うに際し、冷媒圧力変動の影響をキャンセルすることができる。
【０００８】
具体的には、制御部では、圧力センサで検出される冷媒圧力に対応した冷媒の飽和温度を算出し、算出された飽和温度と室内熱交換器の温度との差分の変化に基づいて、室内側電子膨張弁の動作確認を行うことを特徴とする。
【０００９】
また、本発明は、室外ユニットと、複数台の室内ユニットと、を備えたマルチ型空気調和機の室内ユニットの室内側電子膨張弁の動作確認方法とすることもでき、室内側電子膨張弁の開度を変化させるステップと、室内ユニットの室内熱交換器の温度を検出するステップと、室外ユニットの低圧側の冷媒圧力を検出するステップと、検出された冷媒圧力に対応した冷媒の飽和温度を算出し、該飽和温度と前記室内熱交換器の温度との差分を算出するステップと、室内側電子膨張弁の開度を変化させたときの、前記差分の変化に基づいて、室内側電子膨張弁の動作確認を行うステップと、を備えることを特徴とする。
【００１０】
本発明の室内ユニットの室内側電子膨張弁の動作確認方法では、室内側電子膨張弁の動作確認は、マルチ型空気調和機を冷房運転状態として行うことを特徴とする。
【００１１】
また、本発明の室内ユニットの室内側電子膨張弁の動作確認方法では、室内側電子膨張弁の開度を変化させるステップにて、室内側電子膨張弁の開度を開状態から全閉に変化させることを特徴とする。
【００１２】
これにより、室内電子膨張弁が全閉となると、室内熱交換器の温度が上昇するので、室内電子膨張弁が確実に動作していることを確認できる。
【００１３】
また、本発明のコンピュータプログラムは、室外ユニットと、複数台の室内ユニットと、を備えたマルチ型空気調和機の室内ユニットの室内側電子膨張弁の動作確認を行うために、コンピュータ装置によって実行されるコンピュータプログラムであって、室内側電子膨張弁の開度を変化させるステップと、室内ユニットの室内熱交換器の温度を検出するステップと、室外ユニットの低圧側の冷媒圧力を検出するステップと、検出された冷媒圧力に対応した冷媒の飽和温度を算出し、該飽和温度と前記室内熱交換器の温度との差分を算出するステップと、室内側電子膨張弁の開度を変化させたときの、前記差分の変化に基づいて、室内側電子膨張弁の動作確認を行うステップと、を有することを特徴とする。
【００１４】
このようなコンピュータプログラムは、マルチ型空気調和機の制御部に導入されることで、マルチ型空気調和機において室内電子膨張弁の動作の自己診断を行うことができる。また、このコンピュータプログラムは、既存のマルチ型空気調和機の制御部へも導入することが可能である。
【００１５】
また、本発明の故障診断装置は、室外ユニットと、複数台の室内ユニットと、を備えたマルチ型空気調和機の室内ユニットの室内側電子膨張弁の動作確認を行う故障診断装置であって、室内側電子膨張弁の開度を変化させるステップと、室内ユニットの室内熱交換器の温度を検出するステップと、室外ユニットの低圧側の冷媒圧力を検出するステップと、冷媒圧力に対応した冷媒の飽和温度を算出し、該飽和温度と前記室内熱交換器の温度との差分を算出するステップと、室内側電子膨張弁の開度を変化させたときの、前記差分の変化に基づいて、室内側電子膨張弁の動作確認を行うステップと、を実行することを特徴とする。
【００１６】
このような故障診断装置は、マルチ型空気調和機の制御部によって実現することができる他、マルチ型空気調和機の制御部に外部から接続することで、上記動作診断処理を実行する単体の故障診断装置とすることも可能である。
【発明の効果】
【００１７】
本発明によれば、室外ユニットの低圧側の冷媒圧力に基づいて補正した室内熱交換器の温度の変化に基づき、室内側電子膨張弁の動作確認を行うようにした。これにより、冷媒圧力の変動の影響をキャンセルすることができ、電子膨張弁の動作確認を確実に行うことが可能となる。
【発明を実施するための最良の形態】
【００１８】
以下に、本発明にかかる実施形態について、図面を参照して説明する。
図１に、本実施形態にかかるマルチ型ヒートポンプ式空気調和機１の冷媒回路図が示されている。
マルチ型ヒートポンプ式空気調和機１は、１台または複数台の室外ユニット２に対し、室内ユニット３が複数台並列に接続された構成とされる。なお、本実施形態では、室内ユニット３の接続台数については特に制限されるものではなく、少なくとも２台、多い場合には数十台が接続される。
【００１９】
室外ユニット２は、インバータ駆動の圧縮機５と、圧縮機５に接続されている吐出配管４Ａが第１ポート７Ａに接続される四方切換弁７と、四方切換弁７の第２ポート７Ｂに冷媒配管４Ｂを介して接続される室外熱交換器８と、室外熱交換器８から室内ユニット３側へと延長される冷媒液管４Ｃと、四方切換弁７の第３ポート７Ｃから室内ユニット３側へと延長される冷媒ガス管４Ｄと、四方切換弁７の第４ポート７Ｄに吸入配管４Ｅを介して接続されるとともに、圧縮機５に吸入配管４Ｆを介して接続されるアキュームレータ１０とを備え、これらが上記の如く吐出配管４Ａないし４Ｆにより接続され、室外側冷媒配管の回路を構成している。
【００２０】
室外熱交換器８には、それぞれ室外側電子膨張弁９が設けられており、室外側電子膨張弁９の開度を調整することで、回路を循環する冷媒量を調整する。
冷媒液管４Ｃには、液冷媒を貯留するレシーバ１２、二重管熱交換器１３が設けられている。二重管熱交換器１３は、レシーバ１２の出口において冷媒液管４Ｃから液冷媒の一部を分流して二重管熱交換器１３の内管１３Ａに導く分流管１４と、該分流管１４に設けられる電子膨張弁（ＥＥＶＳＣ）１５とを備えて構成される。
【００２１】
この二重管熱交換器１３は、分流管１４に分流された冷媒を電子膨張弁１５で減圧し、この冷媒を二重管熱交換器１３の内管１３Ａ内で蒸発させることにより、二重管熱交換器１３の外管側（冷媒液管４Ｃ）を流れる冷媒主流を冷却して過冷却を付与するものである。二重管熱交換器１３の内管１３Ａ内で蒸発した冷媒は、配管１６を介し、アキュームレータ１０に送り込まれる。
【００２２】
各室内ユニット３は、室内熱交換器２０と、室内熱交換器２０における冷媒流通量を調整する室内側電子膨張弁２１と、これらの間を接続する室内側冷媒配管２２とを備え、室外ユニット２から延長される冷媒液管４Ｃと冷媒ガス管４Ｄとの間に、各々ガス側分枝器２３Ａ，２３Ｂおよび液側分枝器２３Ｃ，２３Ｄを介して並列に接続される。
【００２３】
次に、本実施形態にかかるマルチ型ヒートポンプ式空気調和機１の作用について説明する。なお、以下に示すマルチ型ヒートポンプ式空気調和機１の作用・動作は、ユーザにより冷房運転・暖房運転等の運転モードの選択が行われることに応じ、図示しない制御部がマルチ型ヒートポンプ式空気調和機１の各部を制御することで自動的に行われる。
【００２４】
まず、冷房運転について説明する。冷房時、四方切換弁７は、第１ポート７Ａと第２ポート７Ｂ、第３ポート７Ｃと第４ポート７Ｄとが各々連通された状態に切換えられる。これによって、圧縮機５により圧縮された高温高圧の冷媒ガスは、吐出配管４Ａ、四方切換弁７、冷媒配管４Ｂを経て室外熱交換器８に流入される。この冷媒は、室外熱交換器８で外気と熱交換され、外気に放熱して凝縮液化される。液化された冷媒は、冷媒液管４Ｃ内を一方向に流れ、レシーバ１２に流入し、そこで一時貯留される。
【００２５】
レシーバ１２から流出される冷媒は、二重管熱交換器１３を通過する間に冷却され、さらに過冷却が付与される。このような冷媒の過冷却により、冷凍能力が向上されることは当業者において知られているところである。
二重管熱交換器１３の内管１３Ａで蒸発された冷媒は、その出口から配管１６を経てアキュームレータ１０に送り込まれる。
【００２６】
一方、二重管熱交換器１３において過冷却が付与された冷媒は、冷媒液管４Ｃを介して
室内ユニット３に流れる。室内ユニット３へと流れた冷媒は、室内ユニット３の室内熱交換器２０に流入され、図示省略のファンにより室内熱交換器２０へと循環される室内空気と熱交換されて、室内空気を冷却することによって、これが冷房に供される。
【００２７】
室内熱交換器２０で室内空気を冷却することにより蒸発された冷媒は、冷媒ガス管４Ｄを介して再び室外ユニット２に戻り、四方切換弁７、吸入配管４Ｅ、アキュームレータ１０、吸入配管４Ｆを経て圧縮機５に吸入される。この冷媒循環サイクルを繰り返すことによって、冷房運転が行われる。
【００２８】
続いて、暖房運転について説明する。暖房時、四方切換弁７は、第１ポート７Ａと第３ポート７Ｃ、第２ポート７Ｂと第４ポート７Ｄとが各々連通される状態に切換えられる。これによって、圧縮機５により圧縮された高温高圧の冷媒ガスは、吐出配管４Ａ、四方切換弁７、冷媒ガス管４Ｄを経て各室内ユニット３に流入される。室内ユニット３に流入された冷媒は、室内熱交換器２０において図示省略のファンにより循環される室内空気と熱交換され、室内空気を加熱する。この室内空気は暖房に供される。
【００２９】
室内熱交換器２０で室内空気に放熱することにより凝縮液化された冷媒は、冷媒液管４Ｃを経て再び室外ユニット２に戻る。室外ユニット２に戻った冷媒は、冷媒液管４Ｃ内を一方向に流れ、レシーバ１２に流入し、そこで一時貯留される。
【００３０】
レシーバ１２から流出した冷媒は、室外熱交換器８に流入し、外気から吸熱して蒸発される。その後、冷媒配管４Ｂ、四方切換弁７、吸入配管４Ｅ、アキュームレータ１０、吸入配管４Ｆを経て圧縮機５に吸入される。この冷媒循環サイクルを繰り返すことによって、暖房運転が行われる。
【００３１】
さて、上記したようなマルチ型ヒートポンプ式空気調和機１においては、その据付時に、各部の動作確認を行うための試運転を行う。この試運転は、予め定められたコンピュータプログラムに基づき、図示しない制御部（コンピュータ装置、故障診断装置）が所定の処理を実行することで行われる。
本実施の形態においては、この試運転の過程で、室内ユニット３の室内側電子膨張弁２１の開閉動作確認を行う処理を実行する。以下、その詳細を示す。
【００３２】
室内側電子膨張弁２１の開閉動作確認処理を実行するために、本実施形態のマルチ型ヒートポンプ式空気調和機１には、室内熱交換器２０の温度を検出する温度センサ３０と、室外ユニット２のアキュームレータ１０の吸入配管４Ｅに設けられた、低圧側の冷媒圧力を検出する圧力センサ３１とが備えられている。
【００３３】
図２は、試運転の過程で行われる室内側電子膨張弁２１の開閉動作確認処理の流れを示すものである。
まず、マルチ型ヒートポンプ式空気調和機１を冷房運転させる。
そして、冷房運転中に、制御部は、室内側電子膨張弁２１の開度を変更する指令信号を室内側電子膨張弁２１に出力する（ステップＳ１０１）。室内側電子膨張弁２１の開度を、例えば全開状態から全閉状態へと変化させる。
【００３４】
ステップＳ１０１で指令信号を出したのち、一定微小時間ｔが経過するごとに（ステップＳ１０２）、温度センサ３０で検出する室内熱交換器２０の温度ＴＥと、圧力センサ３１で検出される室外ユニット２の低圧側の冷媒圧力ＰＬとを得る（ステップＳ１０３）。
【００３５】
次いで、検出された低圧側の冷媒圧力ＰＬにおける飽和温度ＴＳを算出する（ステップＳ１０４）。これは空気線図に基づき、容易に算出できる。
【００３６】
続いて、ステップＳ１０３で検出した室内熱交換器２０の温度ＴＥと、ステップＳ１０４で算出された飽和温度ＴＳとの温度差ＴＤを、
ＴＤ＝ＴＥ−ＴＳ
により算出し、この温度差ＴＤを制御部の記憶領域に記憶させる（ステップＳ１０５）。
【００３７】
上記のステップＳ１０３〜Ｓ１０５を、一定微小時間ｔが経過ごとに繰り返すことで、制御部の記憶領域には、室内側電子膨張弁２１の開度を変更する指令信号を出して以降の温度差ＴＤの変化の情報が蓄積される。
【００３８】
そこで、制御部においては、記憶された温度差ＴＤの変化の情報に基づき、室内側電子膨張弁２１の動作に異常があるか否かを判定する（ステップＳ１０６、Ｓ１０７）。これは、室内側電子膨張弁２１を全開状態から全閉状態となるまで開度を変化させた場合、室内側電子膨張弁２１が全閉となった時点で、温度差ＴＤが上昇しているか否かで判断できる。このとき、ある程度の誤差を見込み、算出を開始したときの温度差ＴＤから、予め定められた閾値以上、温度差ＴＤが増加したときに、温度差ＴＤが上昇したと判定するのが好ましい。
【００３９】
なお、この判定処理は、図２のステップＳ１０６、Ｓ１０７に示すように、室内側電子膨張弁２１の開度変更動作が終了してから行ってもよいし、室内側電子膨張弁２１を開閉動作させている途中で逐次リアルタイムに行ってもよい。後者の場合、室内側電子膨張弁２１が全閉となるより以前に温度差ＴＤの値が上昇すれば、室内側電子膨張弁２１は正常に動作していないと判定される。
【００４０】
図３に示すように、冷媒圧力ＰＬの変動の影響がない（冷媒圧力ＰＬが一定）場合、室内側電子膨張弁２１が正常に動作していれば、室内側電子膨張弁２１を全開状態から全閉状態となるまで開度を変化させた場合、温度差ＴＤ（＝室内熱交換器２０の温度ＴＥ）は、室内側電子膨張弁２１が全閉となった時点ではじめて上昇するはずである。
【００４１】
一方、図４に示すように、冷媒圧力ＰＬが変動した場合、室内側電子膨張弁２１が正常に動作していても、室内側電子膨張弁２１を全開状態から全閉状態となるまで開度を変化させた場合、室内熱交換器２０の温度ＴＥは、冷媒圧力ＰＬの変動に対応して変化する（温度上昇する）。このため、特許文献１に記載した技術では、この冷媒圧力ＰＬの変動に対応した室内熱交換器２０の温度ＴＥの変化を、室内側電子膨張弁２１の動作によって生じてしまったものとして判定してしまう可能性がある。
【００４２】
これに対し、本実施の形態の構成によれば、冷媒圧力ＰＬが変動しても、その冷媒圧力ＰＬに対応した飽和温度ＴＳと室内熱交換器２０の温度ＴＥとの温度差ＴＤを用い、室内側電子膨張弁２１の動作確認を行うようにした。温度差ＴＤは、すなわち室内熱交換器２０の温度ＴＥを冷媒圧力ＰＬによって補正したものであり、冷媒圧力ＰＬの変動の影響がキャンセルされた値であるため、室内側電子膨張弁２１が全閉となった時点ではじめて上昇する。したがって、前記のステップＳ１０６では、この温度差ＴＤの変化を検出することで、室内側電子膨張弁２１の開閉動作を確実に検出できる。
【００４３】
以上の通り、本実施形態にかかるマルチ型ヒートポンプ式空気調和機１によれば、圧力センサ３１で検出される室外ユニット２の低圧側の冷媒圧力ＰＬから飽和温度ＴＳを算出し、算出された飽和温度ＴＳと、温度センサ３０で検出される室内熱交換器２０の温度ＴＥとの温度差ＴＤを用い、室内側電子膨張弁２１の動作確認を行うようにした。これにより、冷媒圧力ＰＬの変動の影響をキャンセルすることができ、室内側電子膨張弁２１の動作確認を確実に行うことが可能となる。
【００４４】
なお、上述した各実施形態では、マルチ型ヒートポンプ式空気調和機１の各部について説明したが、本発明はこれに限定されるものではなく、例えば室外ユニット２や室内ユニット３は、いかなる構成を採用してもよい。
【図面の簡単な説明】
【００４５】
【図１】本発明の実施形態にかかるマルチ型ヒートポンプ式空気調和機の室外ユニットの構成を示す図である。
【図２】室内側電子膨張弁の動作確認を行うための処理の流れを示す図である。
【図３】室内側電子膨張弁の開度を変化させたときの、室内熱交換器の温度変化を示す図であり、室外ユニットの低圧側の冷媒圧力に変動がない場合の例である。
【図４】室内側電子膨張弁の開度を変化させたときの、室内熱交換器の温度変化を示す図であり、室外ユニットの低圧側の冷媒圧力に変動がある場合の例である。
【符号の説明】
【００４６】
１  マルチ型ヒートポンプ式空気調和機
２  室外ユニット
３  室内ユニット
４Ａ  吐出配管（室外冷房配管）
４Ｂ  冷媒配管（室外冷房配管）
４Ｃ  冷媒液管（室外冷房配管）
４Ｄ  冷媒ガス管（室外冷房配管）
４Ｅ  吸入配管（室外冷房配管）
４Ｆ  吸入配管（室外冷房配管）
５  圧縮機
７  四方切換弁
８  室外熱交換器
２０  室内熱交換器
２１  膨張弁
２２  室内側冷媒配管
３０  温度センサ
３１  圧力センサ
【図１】
0005199713.tif 000002
【図２】
0005199713.tif 000003
【図３】
0005199713.tif 000004
【図４】
0005199713.tif 000005